(57)【要約】【課題】緩衝材の破損を抑制しつつ、電気機器（例えば表示機器）を衝撃から保護することができる製箱用シート、梱包箱、及び電気装置を提供する。【解決手段】表示機器４１と梱包箱の底壁２ｃとの間には、各種緩衝材３１〜３３が配される。各種緩衝材３１〜３３の底面３ａには、嵌合穴３４，３４，…が形成してある。各嵌合穴３４には山状の緩衝部材２５が嵌合する。衝撃が加えられた場合、各種緩衝材３１〜３３は弾性変形することによって、表示機器４１を衝撃から保護する。このとき、各種緩衝材３１〜３３が受けるべき荷重の一部は、嵌合穴３４，３４，…の内面を介して緩衝部材２５，２５，…が受けるため、各種緩衝材３１〜３３に対する集中荷重による各種緩衝材３１〜３３の破損が抑制される。また、各種緩衝材３１〜３３よりも強度が低い緩衝部材２５が率先して破損すれば、各種緩衝材３１〜３３の破損が抑制され、表示機器４１が衝撃から保護される。【選択図】図９
2014065501.tif 000002
【特許請求の範囲】
【請求項１】
天壁及び天側の側壁を有する天側箱体と、底壁及び底側の側壁を備える底側箱体とに分割可能な梱包箱を形成するための製箱用シートにおいて、
前記底側（又は天側）の側壁となすべき部分に、矩形状の切り取り線が形成してあり、該切り取り線で囲繞された部分に、前記切り取り線の一辺に平行な折り目が形成してあることを特徴とする製箱用シート。
【請求項２】
天壁及び天側の側壁を有する天側箱体と、底壁及び底側の側壁を備える底側箱体とに分割可能であり、前記天側（又は底側）の側壁が前記底側（又は天側）の側壁を覆う梱包箱において、
前記底側（又は天側）の側壁における前記天側（又は底側）の側壁によって覆われる位置に、矩形状の開口が形成してあり、
前記底側箱体の底壁の内面に、前記開口に嵌合可能な矩形状シートが該矩形状シートの一辺に平行な折り目で折り曲げられてなる山状の緩衝部材が配されることを特徴とする梱包箱。
【請求項３】
電気機器が梱包箱に収容されており、前記電気機器と前記梱包箱の底壁との間に緩衝材が配されている電気装置において、
前記底壁の内面に、矩形状シートが該矩形状シートの一辺に平行な折り目で折り曲げられてなる山状をなし、前記緩衝材よりも強度が低い緩衝部材が配されており、
前記緩衝材の底面に、前記緩衝部材が嵌合する嵌合穴が形成してあることを特徴とする電気装置。
【請求項４】
前記梱包箱は、請求項２に記載の梱包箱であることを特徴とする請求項３に記載の電気装置。
【請求項５】
前記緩衝部材は、前記一辺を含む端部及び該端部に対向する端部夫々を折り曲げてなる係止部を有し、
前記緩衝材の底面の前記嵌合穴の開口周縁部に、前記係止部が挿入される挿入溝が形成してあり、
該挿入溝に前記係止部が挿入されることによって、前記緩衝部材を前記緩衝材に係止するようにしてあることを特徴とする請求項３又は４に記載の電気装置。
【発明の詳細な説明】
【技術分野】
【０００１】
本発明は、梱包箱を形成するための製箱用シート、電気機器を収容する梱包箱、及び電気装置に関する。
【背景技術】
【０００２】
テレビジョン受信機は、受信部にて受信したテレビジョン放送に基づき、パネル状の表示機器にて映像を表示する。受信部を内蔵した表示機器、又は受信部とは別体の表示機器は、梱包箱に収容されて倉庫に保管され、また、市場へ出荷される。
一般に、梱包箱は直方体状をなしている。表示機器と梱包箱の内面との間には、緩衝材が配されている。
【０００３】
近年、表示機器の大型化及び薄型化が進んでいる。このため、表示機器の周縁部と緩衝材との接触面積が小さくなっている。接触面積が小さいと、表示機器から緩衝材への圧力が大きくなる。従って、表示機器を収容した梱包箱が落下した場合、又は、表示機器を収容した梱包箱に振動が加わった場合等、表示機器を収容した梱包箱に衝撃が加わった場合に、緩衝材の一部に荷重が集中して、緩衝材が破損する（例えば大きく凹む）ことがある。
破損した緩衝材は、緩衝能力が劣化する。故に、従来、緩衝材を補強することがなされている（特許文献１参照）。
以下では、表示機器に限定されず、電気機器一般について述べる。
【０００４】
特許文献１に記載の緩衝材（文中「物品梱包用複合緩衝材」）は、梱包対象の電気機器（文中「物品」）を抱持するためのシート成形体と、シート成形体を補強する段ボール製の支柱とを備えている。
シート成形体は、熱可塑性樹脂シートの表側に緩衝用凸部又は凹部を一体的に加工してなる。支柱は筒状をなしており、シート成形体の裏側の凹部に配置されている。
【０００５】
シート成形体は、比較的重量が小さい電気機器を保護する緩衝能力を有する。換言すれば、シート成形体自体は、比較的重量が大きい電気機器を保護し得る強度を有していない。一方、特許文献１に記載の緩衝材の場合、シート成形体と支柱とを組み合わせることによって、強度を増している。このため、特許文献１に記載の緩衝材は、比較的重量が大きい電気機器を保護することができる。
【先行技術文献】
【特許文献】
【０００６】
【特許文献１】特開２００１−２６１０７３号公報
【発明の概要】
【発明が解決しようとする課題】
【０００７】
ところで、非常に大きな衝撃が加えられた場合に、緩衝材は破損しても、電気機器は大きなダメージを受けない場合がある。これは、緩衝材が破損することによって、電気機器に加わる衝撃を緩和したからである。逆に言えば、緩衝材が破損しなかったがために、却って電気機器が大きなダメージを受ける場合がある。とはいえ、緩衝材の破損は避けた方が好ましい。
【０００８】
本発明は斯かる事情に鑑みてなされたものであり、その主たる目的は、緩衝材の破損を抑制しつつ、電気機器を衝撃から保護することができる製箱用シート、梱包箱、及び電気装置を提供することにある。
【課題を解決するための手段】
【０００９】
本発明に係る製箱用シートは、天壁及び天側の側壁を有する天側箱体と、底壁及び底側の側壁を備える底側箱体とに分割可能な梱包箱を形成するための製箱用シートにおいて、前記底側（又は天側）の側壁となすべき部分に、矩形状の切り取り線が形成してあり、該切り取り線で囲繞された部分に、前記切り取り線の一辺に平行な折り目が形成してあることを特徴とする。
【００１０】
本発明に係る梱包箱は、天壁及び天側の側壁を有する天側箱体と、底壁及び底側の側壁を備える底側箱体とに分割可能であり、前記天側（又は底側）の側壁が前記底側（又は天側）の側壁を覆う梱包箱において、前記底側（又は天側）の側壁における前記天側（又は底側）の側壁によって覆われる位置に、矩形状の開口が形成してあり、前記底側箱体の底壁の内面に、前記開口に嵌合可能な矩形状シートが該矩形状シートの一辺に平行な折り目で折り曲げられてなる山状の緩衝部材が配されることを特徴とする。
【００１１】
本発明に係る電気装置は、電気機器が梱包箱に収容されており、前記電気機器と前記梱包箱の底壁との間に緩衝材が配されている電気装置において、前記底壁の内面に、矩形状シートが該矩形状シートの一辺に平行な折り目で折り曲げられてなる山状をなし、前記緩衝材よりも強度が低い緩衝部材が配されており、前記緩衝材の底面に、前記緩衝部材が嵌合する嵌合穴が形成してあることを特徴とする。
【００１２】
本発明に係る電気装置は、前記梱包箱は、本発明に係る梱包箱であることを特徴とする。
【００１３】
本発明に係る電気装置は、前記緩衝部材は、前記一辺を含む端部及び該端部に対向する端部夫々を折り曲げてなる係止部を有し、前記緩衝材の底面の前記嵌合穴の開口周縁部に、前記係止部が挿入される挿入溝が形成してあり、該挿入溝に前記係止部が挿入されることによって、前記緩衝部材を前記緩衝材に係止するようにしてあることを特徴とする。
【００１４】
本発明に係るテレビジョン受信機は、受信部にて受信したテレビジョン放送に基づく映像を表示する表示機器が梱包箱に収容されており、前記表示機器と前記梱包箱の底壁との間に緩衝材が配されているテレビジョン受信機において、前記底壁の内面に、矩形状シートが該矩形状シートの一辺に平行な折り目で折り曲げられてなる山状であって、前記緩衝材よりも強度が低い緩衝部材が配されており、前記緩衝材の底面に、前記緩衝部材が嵌合する嵌合穴が形成してあることを特徴とする。
【００１５】
本発明にあっては、電気機器は梱包箱に収容されて保管又は出荷等される。
電気装置がテレビジョン受信機である場合、電気機器は表示機器に相当する。表示機器は梱包箱に収容される。受信部が表示機器と別体である場合、受信部も梱包箱に収容されてもよい。
以下では、電気装置について説明するが、テレビジョン受信機の場合も同様である。
【００１６】
電気機器と梱包箱の底壁との間には、緩衝材が配される。緩衝材の底面には、嵌合穴が形成してあり、嵌合穴には、緩衝部材が嵌合する。
緩衝部材は山状をなしている。緩衝部材は、矩形状シートが、自身の一辺に平行な折り目で折り曲げられてなる単純な構造である。
衝撃が加えられた場合、緩衝材は弾性変形することによって、電気機器を衝撃から保護する。このとき、緩衝材が受けるべき荷重の一部は、嵌合穴の内面を介して緩衝部材が受けるため、緩衝材に対する集中荷重による緩衝材の破損が抑制される。
【００１７】
緩衝部材は緩衝材よりも強度が低い。従って、非常に大きな衝撃が加えられた場合には、緩衝材よりも先に緩衝部材が破損する。緩衝部材の破損によって、電気機器及び緩衝部材に加わる衝撃は緩和される。故に、緩衝材の破損が抑制され、且つ、電気機器が受けるダメージが低減される。
緩衝部材が破損しても、緩衝材が無事であれば、電気機器は保護される。また、緩衝部材が破損しても、緩衝部材は単純な構造であるため、適宜の矩形状シートから新たな緩衝部材を形成し、破損した緩衝部材と新たな緩衝部材とを交換することは容易である。
【００１８】
本発明にあっては、電気機器は、本発明に係る梱包箱に収容されて保管又は出荷等される。本発明に係る梱包箱は、本発明に係る製箱用シートを用いて形成されてもよい。
本発明に係る梱包箱は、天側の側壁を有する天側箱体と、底側の側壁を備える底側箱体とに分割可能である。また、天側（又は底側）の側壁が、底側（又は天側）の側壁を覆う。
【００１９】
天側の側壁が底側の側壁を覆う場合、底側の側壁における天側の側壁によって覆われる位置には、矩形状の開口が形成してある。底側の側壁が天側の側壁を覆う場合、天側の側壁における底側の側壁によって覆われる位置には、矩形状の開口が形成してある。このため、梱包箱が組み立てられた状態では、開口が外部に露出することはない。従って、開口が外部に露出している場合に比べて梱包箱の美観を向上させることができる。また、開口を通して梱包箱の内外へ物品又は異物等が移動することがない。
【００２０】
ところで、本発明に係る製箱用シートは、梱包箱の底側（又は天側）の側壁となすべき部分に、矩形状の切り取り線が形成してある。従って、製箱用シートから、切り取り線で囲繞された部分を取り去ることは容易である。製箱用シートから取り去られた部分は、矩形状シートである。本発明に係る製箱用シートを用いて本発明に係る梱包箱を形成する場合、梱包箱の側壁に形成されている開口は、製箱用シートから矩形状シートを取り去った跡である。
【００２１】
矩形状シートの内部には、矩形状シートの一辺に平行な折り目が形成してある。製箱用シートから取り去られた矩形状シートは、梱包箱の側壁に形成されている開口に嵌合可能であり、且つ、その一辺に平行な折り目が形成してある矩形状シートとして用いることができる。
この矩形状シートを折り目で折り曲げれば、山状の緩衝部材が得られる。つまり、本発明に係る製箱用シートを用いて本発明に係る梱包箱を形成する場合、緩衝部材となすべき矩形状シートを別途用意する必要がない。
【００２２】
本発明にあっては、緩衝部材は係止部を有する。係止部は、緩衝材に形成してある挿入溝に挿入される。この結果、緩衝部材は緩衝材に係止される。このため、緩衝部材が緩衝材にも梱包箱にも係止されていない場合に比べて、緩衝部材の位置ずれ又は無用な変形等を抑制することができる。
仮に、緩衝部材を梱包箱に係止する場合、例えば梱包箱の底壁に挿入溝を形成する必要がある。梱包箱に挿入溝が形成された場合、挿入溝によって梱包箱の強度が低下したり、挿入溝及び挿入溝に挿入された係止部が外部に露出して美観が損なわれたりする虞がある。
【発明の効果】
【００２３】
本発明の製箱用シート、梱包箱、及び電気装置による場合、緩衝材が受けるべき荷重を緩衝部材に分散して受けることができ、また、万一のときは緩衝部材が率先して破損することで衝撃を緩和することができる。この結果、緩衝材の破損を抑制しつつ、電気機器を衝撃から保護することができる。
【図面の簡単な説明】
【００２４】
【図１】本発明の実施の形態に係る電気装置としてのテレビジョン受信機の外観を示す斜視図である。
【図２】テレビジョン受信機の構成を示す分解斜視図である。
【図３】本発明の実施の形態に係る梱包箱の内面側の展開図である。
【図４】本発明の実施の形態に係る製箱用シートの一部を示す部分拡大図である。
【図５】左側緩衝材、中央緩衝材、及び右側緩衝材の構成を示す斜視図である。
【図６】中央緩衝材の構成を示す正面断面図である。
【図７】緩衝部材の構成を示す正面図である。
【図８】底側箱体における各種緩衝材の配置を示す斜視図である。
【図９】底側箱体における各種緩衝材の配置を示す正面断面図である。
【図１０】底側箱体における各種緩衝材への表示機器の載置を示す斜視図である。
【発明を実施するための形態】
【００２５】
以下、本発明を、その実施の形態を示す図面に基づいて詳述する。以下の説明では、図において矢符で示す上下、前後、及び左右を使用する。
【００２６】
図１は、本発明の実施の形態に係る電気装置としてのテレビジョン受信機４の外観を示す斜視図である。図１は、本発明の実施の形態に係る梱包箱１の外観を示す斜視図でもある。図１は天側から見た斜視図である。
図２は、テレビジョン受信機４の構成を示す分解斜視図である。図２は天側から見た分解斜視図である。
【００２７】
図３は、梱包箱１の内面側の展開図である。図３は、本発明の実施の形態に係る製箱用シート１００，２００の構成を示す図でもある。図３は、製箱用シート１００，２００における梱包箱１の内面側となすべき側を示している。図３においては、外形線及び切り取り線を共に実線で示しており、折り目を破線で示している。
図４は、製箱用シート２００の一部を示す部分拡大図である。図４には、後述する底側前壁２ａとなすべき部分が部分的に示されている。図４においては、外形線を実線で示しており、切り取り線を二点鎖線で示しており、折り目を破線及び一点鎖線の何れかで示している。
【００２８】
表示機器（電気機器）４１は、梱包箱１に収容されて、保管又は出荷等される。梱包箱１に収容されている表示機器４１と梱包箱１の内面との間には、天側緩衝材３０、左側緩衝材３１、中央緩衝材３２、及び右側緩衝材３３（以下、緩衝材３０〜３３と総称する）が配されている。
梱包箱１には、図示しない支持部材が同梱されていてもよく、同梱されていなくてもよい。据え置き型の場合、支持部材は、表示機器４１を支持するスタンドである。壁掛け型の場合、支持部材は、表示機器４１を支持する壁掛け金具である。
【００２９】
表示機器４１は、薄型の矩形パネル状になしてある。表示機器４１は、液晶表示パネル又はプラズマ表示パネル等を用いてなり、正面に表示画面４１１を有する。表示機器４１は、受信部４２及び信号処理部４３を内蔵している。
表示機器４１は、受信部４２が受信したテレビジョン放送に基づく映像を表示する。このために、受信部４２は、図示しないアンテナを介して、外部からテレビジョン放送を受信し、受信したテレビジョン放送から放送信号を取り出す。信号処理部４３は、受信部４２が取り出した放送信号に所定の信号処理を施すことによって、映像データを出力する。表示機器４１は、信号処理部４３が出力した映像データに基づく映像を、表示画面４１１に表示する。
【００３０】
なお、受信部４２及び信号処理部４３は、表示機器４１に外付けされる構成でもよい。この場合、受信部４２及び信号処理部４３は、梱包箱１に同梱されていてもよく、同梱されていなくてもよい。
【００３１】
次に、梱包箱１について説明する。
梱包箱１は直方体状をなしている。梱包箱１は、天側箱体１１と底側箱体２とに２分割可能である。
梱包箱１の天側箱体１１は、図３に示すような形状に切り出された製箱用シート１００を折り曲げて組み立てたものである。
天側箱体１１は、倒立有底矩形筒状をなしている。天側箱体１１は、各長方形状の天側前壁（天側の側壁）１ａ、天側後壁（天側の側壁）１ｂ、天壁１ｃ、天側左壁１ｄ、及び天側右壁１ｅを備える。
天壁１ｃは、各長方形状の合同の２枚の天壁片１０１，１０２を有する。
【００３２】
天側前壁１ａ及び天側後壁１ｂ夫々の底側端部には、各３個の係止孔１０３，１０３，…が形成されている。係止孔１０３，１０３，…は、左右方向に並設されている。
天側箱体１１となすべき製箱用シート１００は、１枚の段ボールを用いてなる。製箱用シート１００は、天側前壁１ａとなすべき部分、天側後壁１ｂとなすべき部分、天壁片１０１となすべき部分、天壁片１０２となすべき部分、天側左壁１ｄとなすべき部分、天側右壁１ｅとなすべき部分、及び天側組み立て代１ｆを一体に有する。
【００３３】
以下では、製箱用シート１００の天側前壁１ａとなすべき部分、天側後壁１ｂとなすべき部分、…等も天側前壁１ａ、天側後壁１ｂ、…等という。
天側前壁１ａには、天側右壁１ｅ、天側左壁１ｄ、及び一方の天壁片１０１が連続的に設けられている。天側後壁１ｂには、天側組み立て代１ｆ、天側右壁１ｅ、及び他方の天壁片１０２が連続的に設けられている。
【００３４】
製箱用シート１００の天側前壁１ａ（及び天側後壁１ｂ）には、３個の矩形状の切り取り線１０４，１０４，…が形成されている。各切り取り線１０４は、製箱用シート１００を構成している段ボールにミシン目加工を施すことによって形成されている。各切り取り線１０４の形成位置及び寸法は、係止孔１０３の４辺の形成位置及び寸法に対応する。
【００３５】
梱包箱１の底側箱体２は、図３に示すような形状に切り出された製箱用シート２００を折り曲げて組み立てたものである。
底側箱体２は、有底矩形筒状をなしている。底側箱体２は、各長方形状の底側前壁（底側の側壁）２ａ、底側後壁（底側の側壁）２ｂ、底壁２ｃ、底側左壁２ｄ、及び底側右壁２ｅを備える。
底壁２ｃは、各長方形状の合同の２枚の底壁片２０１，２０２を有する。
【００３６】
底側前壁２ａ及び底側後壁２ｂ夫々の上下方向中央部には、各３個の係止孔２０３，２０３，…が設けられている。底側前壁２ａ（及び底側後壁２ｂ）の係止孔２０３，２０３，…は、天側前壁１ａ（及び天側後壁１ｂ）の係止孔１０３，１０３，…に対応する位置に配されている。故に、係止孔２０３，２０３，…は、左右方向に並設されている。
【００３７】
底側前壁２ａにおいて、右側（及び左側）の係止孔２０３と中央の係止孔２０３との間には、各矩形状の２個の開口２４，２４が左右方向に並設されている。底側後壁２ｂにおいて、右側の係止孔２０３と中央の係止孔２０３との間には、開口２４が設けられている。つまり、底側箱体２には、５個の開口２４，２４が設けられている。
【００３８】
底側箱体２となすべき製箱用シート２００は、１枚の段ボールを用いてなる。製箱用シート２００は、底側前壁２ａとなすべき部分、底側後壁２ｂとなすべき部分、底壁片２０１となすべき部分、底壁片２０２となすべき部分、底側左壁２ｄとなすべき部分、底側右壁２ｅとなすべき部分、及び底側組み立て代２ｆを一体に有する。
以下では、製箱用シート２００の底側前壁２ａとなすべき部分、底側後壁２ｂとなすべき部分、…等も底側前壁２ａ、底側後壁２ｂ、…等という。
【００３９】
底側前壁２ａには、底側右壁２ｅ、底側左壁２ｄ、及び一方の底壁片２０１が連続的に設けられている。底側後壁２ｂには、底側組み立て代２ｆ、底側右壁２ｅ、及び他方の底壁片２０２が連続的に設けられている。
製箱用シート２００の底側前壁２ａ（及び底側後壁２ｂ）には、３個の矩形状の切り取り線２０４，２０４，…が形成されている。各切り取り線２０４は、製箱用シート２００を構成している段ボールにミシン目加工を施すことによって形成されている。各切り取り線２０４の形成位置及び寸法は、係止孔２０３の４辺の形成位置及び寸法に対応する。
【００４０】
製箱用シート２００の底側前壁２ａ及び底側後壁２ｂには、合計５個の矩形状の切り取り線２１，２１，…が形成されている。各切り取り線２１の形成位置及び寸法は、開口２４の４辺の形成位置及び寸法に対応する。
【００４１】
各切り取り線２１は、製箱用シート２００を構成している段ボールにミシン目加工を施すことによって形成されている。なお、切り取り線２１は、ミシン目を用いてなる構成に替えて、切れ目を用いてなる構成、又は、一部がミシン目を用いてなり、残部が切れ目を用いてなる構成等でもよい。切れ目は、製箱用シート２００を構成している段ボールを貫通して切り込みを入れることによって形成される。ミシン目は、破線状に切れ目を形成してなる。
【００４２】
切り取り線２１に囲繞された部分には、切り取り線２１の左辺（又は右辺）に各平行な２本の折り目２２１，２２１及び４本の折り目２２２，２２２，…が形成してある。
切り取り線２１に囲繞された部分の左右方向中央部にて、折り目２２１，２２１は左右方向に並置されている。切り取り線２１に囲繞された部分の左端部及び右端部にて、各２本の折り目２２２，２２２が左右方向に並設されている。
【００４３】
破線で示す折り目２２１は、外面側が凸になるような折り方をすべき山折り箇所である。折り目２２１は、例えば製箱用シート２００を構成している段ボールの外面及び中芯に切り込みを入れることによって形成されている。一点鎖線で示す折り目２２２は、外面側が凹になるような折り方をすべき谷折り箇所である。折り目２２２は、例えば製箱用シート２００を構成している段ボールの内面及び中芯に切り込みを入れることによって形成されている。
【００４４】
図５は、左側緩衝材３１、中央緩衝材３２、及び右側緩衝材３３（以下、各種緩衝材３１〜３３と総称する）の構成を示す斜視図である。図５は底側から見た斜視図である。
図６は、中央緩衝材３２の構成を示す正面断面図である。
次に、緩衝材３０〜３３について説明する。これらは、何れも発泡スチロール成型品である。
【００４５】
天側緩衝材３０は、表示機器４１の上部が嵌め入れられる嵌入穴が形成されたブロック状をなしている。また、左側緩衝材３１（及び右側緩衝材３３）は、表示機器４１の左下部（及び右下部）が嵌め入れられる嵌入穴３１１（及び嵌入穴３３１）が形成されたブロック状をなしている。中央緩衝材３２は、表示機器４１の左右方向中央下部が嵌め入れられる嵌入穴３２１が形成されたブロック状をなしている。
【００４６】
左側緩衝材３１（及び右側緩衝材３３）の底面３ａには、２個の嵌合穴３４，３４が左右方向に並設されている。中央緩衝材３２の底面３ａには、１個の嵌合穴３４が設けられている。
嵌合穴３４は四角錐台状になしてある。嵌合穴３４の内面は、矩形状の天面、及び４枚の台形状の斜面からなる。嵌合穴３４の底部開口は、嵌合穴３４の天面よりも大きい矩形状をなしている。嵌合穴３４の深さ（四角錐台の高さ）は、嵌合穴３４の形成位置の各種緩衝材３１〜３３の高さの約２／３である。
【００４７】
底面３ａの各嵌合穴３４の左右両側には、前後方向の挿入溝３５，３５が形成されている。挿入溝３５の長さは、嵌合穴３４の左辺（又は右辺）の長さに等しい。
各種緩衝材３１〜３３夫々の前面及び後面には、各１個の係止突起３６が突設されている。
【００４８】
次に、表示機器４１の梱包手順について説明する。
まず、作業者は、製箱用シート１００を準備する。
次に、作業者は、切り取り線１０４，１０４，…に沿って、各切り取り線１０４に囲繞された部分を取り去る。この結果、製箱用シート１００に６個の係止孔１０３，１０３，…が形成される。
【００４９】
次いで、作業者は、天側前壁１ａと天側右壁１ｅ、天側左壁１ｄ、及び天壁片１０１夫々との境界部分を山折りする。また、作業者は、天側後壁１ｂと組み立て代１ｆ、天側右壁１ｅ、及び天壁片１０２夫々との境界部分を山折りする。更に、作業者は、接着剤又はステープル等を用いて、組み立て代１ｆを天側左壁１ｄの内面に取り付ける。更にまた、作業者は、天壁片１０１，１０２夫々の先端部を突き合わせて、天壁片１０１，１０２の外面に、天壁片１０１と天壁片１０２とに亘って図示しない粘着テープを貼り付ける。この結果、天壁１ｃが形成される。
【００５０】
また、作業者は、製箱用シート２００を準備する。
次に、作業者は、切り取り線２０４，２０４，…に沿って、各切り取り線２０４に囲繞された部分を取り去る。この結果、製箱用シート２００に６個の係止孔２０３，２０３，…が形成される。
更に、作業者は、切り取り線２１，２１，…に沿って、各切り取り線２１に囲繞された部分を取り去る。この結果、製箱用シート２００に５個の開口２４，２４，…が形成される。
【００５１】
切り取り線２１に沿って取り去られた部分は、矩形状シート２３として機能する。つまり、５個の開口２４，２４，…を形成することによって、５枚の矩形状シート２３，２３，…が得られる。
各矩形状シート２３には、左側から順に、第１の折り目２２２、第２の折り目２２２、左側の折り目２２１、右側の折り目２２１、第３の折り目２２２、及び第４の折り目２２２が形成されている。
【００５２】
次いで、作業者は、底側前壁２ａと底側右壁２ｅ、底側左壁２ｄ、及び底壁片２０１夫々との境界部分を山折りする。また、作業者は、底側後壁２ｂと組み立て代２ｆ、底側右壁２ｅ、及び底壁片２０２夫々との境界部分を山折りする。更に、作業者は、接着剤又はステープル等を用いて、組み立て代２ｆを底側左壁２ｄの内面に取り付ける。更にまた、作業者は、底壁片２０１，２０２夫々の先端部を突き合わせて、底壁片２０１，２０２の外面に、底壁片２０１と底壁片２０２とに亘って図示しない粘着テープを貼り付ける。この結果、底壁２ｃが形成される。
【００５３】
次に、作業者は、５枚の矩形状シート２３，２３，…から５個の緩衝部材２５，２５，…を形成する。このために、作業者は、各矩形状シート２３の２本の折り目２２１，２２１夫々を山折りし、４本の折り目２２２，２２２，…夫々を谷折りする。
図７は、緩衝部材２５の構成を示す正面図である。
緩衝部材２５は、山頂に相当する横姿勢の平面部２５０と、平面部２５０の左右両側から左右側方へ下降する斜面部２５１，２５２と、各縦姿勢に配された平面状の係止部２６，２６と、各横姿勢に配された平面状の連結部２６１，２６２とを一体に有する。
【００５４】
連結部２６１は、左側の係止部２６と斜面部２５１の下端部とを連結している。連結部２６２は、右側の係止部２６と斜面部２５２の下端部とを連結している。つまり、緩衝部材２５は、平面部２５０及び斜面部２５１，２５２からなる山状の緩衝部材２５本体と、緩衝部材２５本体の左右の山裾から左右へ突出する連結部２６１，２６２と、連結部２６１，２６２の先端部から立ち上がる係止部２６，２６とを有する。
緩衝部材２５は、各種緩衝材３１〜３３よりも強度が低い。
【００５５】
ここで、緩衝部材２５の各部と矩形状シート２３の各部との対応を説明する。
平面部２５０は矩形状シート２３の、折り目２２１，２２１の間に位置する部分である。
斜面部２５１は、矩形状シート２３の、左側の折り目２２１と第２の折り目２２２との間に位置する部分である。斜面部２５２は、矩形状シート２３の、右側の折り目２２１と第３の折り目２２２との間に位置する部分である。
【００５６】
連結部２６１は、矩形状シート２３の、第１及び第２の折り目２２２，２２２の間に位置する部分である。連結部２６２は、矩形状シート２３の、第３及び第４の折り目２２２，２２２の間に位置する部分である。
左側の係止部２６は、矩形状シート２３の、第１の折り目２２２から左端部までの部分である。右側の係止部２６は、矩形状シート２３の、第４の折り目２２２から右端部までの部分である。つまり、係止部２６，２６は、矩形状シート２３の左端部及び右端部夫々を折り曲げてなる。
【００５７】
ところで、矩形状シート２３は製箱用シート２００から切り出したものである。つまり、緩衝部材２５を形成するために、段ボールを別途準備する必要はない。
【００５８】
次に、作業者は、緩衝材３０〜３３を準備する。
作業者は、中央緩衝材３２に形成されている嵌合穴３４に、緩衝部材２５の緩衝部材２５本体を嵌合させる。このとき、緩衝部材２５の平面部２５０の外面が嵌合穴３４の天面に接触し、緩衝部材２５の斜面部２５１，２５２の外面が嵌合穴３４の左右の斜面に接触する。次いで、作業者は、中央緩衝材３２に形成されている挿入溝３５，３５に、緩衝部材２５の係止部２６，２６を挿入する。この結果、緩衝部材２５は中央緩衝材３２に係止される。
【００５９】
次いで、作業者は、底側箱体２の内部に各種緩衝材３１〜３３を配する。具体的には、作業者は、左側緩衝材３１、中央緩衝材３２、及び右側緩衝材３３を、底側箱体２の左側部、左右方向中央部、及び右側部に収容する。
図８及び図９は、底側箱体２における各種緩衝材３１〜３３の配置を示す斜視図及び正面断面図である。図８は天側から見た斜視図である。
【００６０】
各種緩衝材３１〜３３夫々の前面（及び後面）は、底側箱体２の底側前壁２ａ内面（及び底側後壁２ｂ内面）に接触する。左側緩衝材３１の左面は底側左壁２ｄの内面に接触し、右側緩衝材３３の右面は底側右壁２ｅの内面に接触する。更に、各種緩衝材３１〜３３夫々の前面に突設されている係止突起３６は、底側前壁２ａに形成されている係止孔２０３に内側から挿入されて係止する。各種緩衝材３１〜３３夫々の後面に突設されている係止突起３６は、底側後壁２ｂに形成されている係止孔２０３に内側から挿入されて係止する。以上の結果、各種緩衝材３１〜３３は何れも位置ずれ及び動揺等が抑制される。係止突起３６は、係止孔２０３から更に突出する。
【００６１】
各種緩衝材３１〜３３夫々の底面３ａは、底側箱体２の底壁２ｃ内面に接触する。この結果、緩衝部材２５，２５，…が底側箱体２の底壁２ｃ内面に左右方向に並置される。
図１０は、底側箱体２における各種緩衝材３１〜３３への表示機器４１の載置を示す斜視図である。図１０は天側から見た斜視図である。
次に、作業者は、各種緩衝材３１〜３３の嵌入穴３１１，３２１，３３１に、表示機器４１の左下部、左右方向中央下部、及び右下部を嵌め入れる。この結果、表示機器４１は各種緩衝材３１〜３３に支持されて縦姿勢に配される。
【００６２】
次いで、作業者は、天側緩衝材３０の嵌入穴に、表示機器４１の上部を嵌め入れる。
更に、作業者は、天側箱体１１を上側から天側緩衝材３０、表示機器４１、各種緩衝材３１〜３３、及び底側箱体２に覆い被せる。このとき、天側箱体１１の天側前壁１ａ、天側後壁１ｂ、天側左壁１ｄ、及び天側右壁１ｅは、底側箱体２の底側前壁２ａ、底側後壁２ｂ、底側左壁２ｄ、及び底側右壁２ｅを外側から覆う。また、係止孔２０３，２０３，…から突出している係止突起３６，３６，…が、係止孔１０３，１０３，…に内側から挿入されて係止する。この結果、天側箱体１１の無用な脱離が抑制される。
【００６３】
各開口２４は、天側箱体１１の天側前壁１ａ及び天側後壁１ｂの何れかに覆われる。従って、開口２４が外部に露出して梱包箱１の美観が損なわれることがない。また、開口２４を通して、梱包箱１の内部へ異物が侵入することも、梱包箱１に収容されている物が梱包箱１の外部へ無用に退出することもない。
【００６４】
以上のようにして梱包された表示機器４１は、正面（及び背面）が梱包箱１の天側前壁１ａ（及び天側後壁１ｂ）に対面し、天側（及び底側）が梱包箱１の天壁１ｃ（及び底壁２ｃ）に対向するように、縦姿勢で梱包箱１に収容される。
ここで、表示機器４１を収容した梱包箱１に衝撃が加わった場合について述べる。
梱包箱１に収容された表示機器４１は、緩衝材３０〜３３に保持されることによって、梱包箱１の内部の所定位置に所定姿勢で配置される。故に、衝撃が加わった場合であっても、梱包箱１の内部で表示機器４１が無用に動揺したり、他の物体に衝突したり、破損したりすることが抑制される。
【００６５】
具体的には、衝撃が加えられた場合、緩衝材３０〜３３は夫々が弾性変形することによって、表示機器４１を衝撃から保護する。このとき、緩衝材３０〜３３が受けるべき荷重の一部は、嵌合穴３４，３４，…の内面を介して緩衝部材２５，２５，…が受けるため、緩衝材３０〜３３に対する集中荷重による緩衝材３０〜３３の破損が抑制される。
緩衝部材２５の緩衝部材２５本体は山形であるため、上側からの荷重は平面部２５０が受け、左右の斜面部２５１，２５２へと受け流される。緩衝部材２５は係止部２６，２６によって各種緩衝材３１〜３３の何れかに係止されているため、緩衝部材２５の位置ずれ又は無用な変形は抑制される。
【００６６】
発明者らは、表示機器４１を収容した梱包箱１を、約30cmの高さから、底壁２ｃが下になるように落下させる第１の実験と、表示機器４１を収容した梱包箱１を、上下方向に30分程度振動させる第２の実験とを行なった。第１及び第２の実験の何れにおいても、緩衝材３０〜３３が破損することはなかった。
【００６７】
また、発明者らは、５個の緩衝部材２５，２５，…が備えられておらず、嵌合穴３４，３４，…及び挿入溝３５，３５，…が設けられていない場合についても第１及び第２の実験を行なった。この場合、第１及び第２の実験の何れにおいても、緩衝材３０〜３３の少なくとも何れか一つに、30mm〜40mm程度の凹みが生じた。このような凹みは、緩衝材３０〜３３の緩衝能力を劣化させるものである。即ち、緩衝材３０〜３３は破損した。
【００６８】
更に、発明者らは、５個の緩衝部材２５，２５，…が備えられておらず、嵌合穴３４，３４，…及び挿入溝３５，３５，…が設けられていない場合であって、緩衝材３０〜３３よりも前後方向に２倍ほど厚い緩衝材を用いた場合についても第１及び第２の実験を行なった。この場合も、緩衝材は破損した。
即ち、緩衝部材２５，２５，…を備えている場合は、緩衝材３０〜３３を前後方向に半分程度の厚みとしても特段の問題はないということである。この結果、緩衝材３０〜３３の材料費を低減し、梱包箱１を小型化することができる。
【００６９】
ところで、緩衝部材２５は各種緩衝材３１〜３３よりも強度が低い。従って、非常に大きな衝撃が加えられた場合には、各種緩衝材３１〜３３よりも先に緩衝部材２５が破損する。緩衝部材２５の破損によって、表示機器４１及び各種緩衝材３１〜３３に加わる衝撃は緩和される。故に、各種緩衝材３１〜３３の破損が抑制され、且つ、表示機器４１が受けるダメージが低減される。
【００７０】
緩衝部材２５が破損しても、緩衝材３０〜３３が無事であれば、表示機器４１は保護される。また、緩衝部材２５が破損しても、緩衝部材２５は単純な構造であるため、矩形状シート２３と同様の矩形状シートを段ボールから切り出し、切り出した矩形状シートを折り曲げて新たな緩衝部材２５を形成することができる。また、緩衝部材２５は係止部２６，２６の挿入溝３５，３５への挿入によって各種緩衝材３１〜３３の何れかに係止されているだけであるため、着脱が容易である。従って、破損した緩衝部材２５と新たな緩衝部材２５とを交換することは容易である。
【００７１】
なお、矩形状シート２３は、製箱用シート２００とは異なる段ボールから適宜に形成されたものでもよい。この場合、製箱用シート２００に切り取り線２１は不要であり、底側箱体２に開口２４が設けられることもない。
また、梱包箱１は、天側箱体１１と底側箱体２とに２分割可能な構成（即ち２枚の製箱用シート１００，２００を用いてなる構成）に限定されるものではなく、１枚の製箱用シートから構成されるものでもよい。この場合、矩形状シート２３は、梱包箱１を構成するための製箱用シートとは異なる段ボールから適宜に形成されたものでもよい。
【００７２】
ここで、緩衝部材２５の係止部２６，２６が連結部２６１，２６２の先端から垂下する（即ち下方へ突出する）場合について考える。この場合、挿入溝３５，３５に相当する挿入溝が底壁２ｃに形成されていればよい。作業者は、底壁２ｃに形成された挿入溝に係止部２６，２６を挿入して、底壁２ｃに緩衝部材２５を係止させる。
【００７３】
ところが、この場合、底壁２ｃに係止されている緩衝部材２５に対し、上側から各種緩衝材３１〜３３の何れかを覆いかぶせることによって、緩衝部材２５の緩衝部材２５本体を嵌合穴３４に嵌合させる必要がある。このとき、底面３ａと緩衝部材２５とが衝突すると、緩衝部材２５に無用の変形又は破損等を生ずる虞がある。
また、挿入溝によって底壁２ｃ、延いては梱包箱１の強度が低下したり、挿入溝及び挿入溝に挿入された係止部２６，２６が外部に露出して美観が損なわれたりする虞がある。
【００７４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、梱包箱１、製箱用シート１００，２００、及びテレビジョン受信機４に、実施の形態に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７５】
１      梱包箱
１１    天側箱体
１ａ    天側前壁（天側の側壁）
１ｂ    天側後壁（天側の側壁）
１ｃ    天壁
１００，２００  製箱用シート
２      底側箱体
２ａ    底側前壁（底側の側壁）
２ｂ    底側後壁（底側の側壁）
２ｃ    底壁
２１    切り取り線
２２１  折り目
２３    矩形状シート
２４    開口
２５    緩衝部材
２６    係止部
３１    左側緩衝材（緩衝材）
３２    中央緩衝材（緩衝材）
３３    右側緩衝材（緩衝材）
３ａ    底面
３４    嵌合穴
３５    挿入溝
４      テレビジョン受信機（電気装置）
４１    表示機器（電気機器）
【図１】
2014065501.tif 000003
【図２】
2014065501.tif 000004
【図３】
2014065501.tif 000005
【図４】
2014065501.tif 000006
【図５】
2014065501.tif 000007
【図６】
2014065501.tif 000008
【図７】
2014065501.tif 000009
【図８】
2014065501.tif 000010
【図９】
2014065501.tif 000011
【図１０】
2014065501.tif 000012